(57)【要約】【課題】ペーパーフィーダーに本体部が積載された画像形成装置の転倒を今まで以上に抑制可能とする。【解決手段】ペーパーフィーダー２側に設けられると共に本体部３のベースに対して上方に所定の隙間を空けて配置され、ペーパーフィーダー２に対する本体部３の上方への移動を規制する係止部４を備える。【選択図】図１
2012247740.tif 000002
【特許請求の範囲】
【請求項１】
記録用紙に対して画像を形成する本体部と、前記記録用紙を収容すると共に必要に応じて前記本体部に対して前記記録用紙を供給するペーパーフィーダーとを備え、前記ペーパーフィーダー上に前記本体部が積載されて配置される画像形成装置であって、
前記ペーパーフィーダー側に設けられると共に前記本体部のベースに対して上方に所定の隙間を空けて配置され、前記ペーパーフィーダーに対する前記本体部の上方への移動を規制する係止部を備えることを特徴とする画像形成装置。
【請求項２】
前記本体部の前記ベースに対して設けられる位置決め穴と、
前記ペーパーフィーダー側に設けられると共に前記位置決め穴に嵌合する嵌合部を有する位置決めピンと
を備えることを特徴とする請求項１記載の画像形成装置。
【請求項３】
前記係止部と前記本体部の前記ベースとの隙間高さが、前記位置決めピンの嵌合部の前記位置決め穴よりも上方に突出する領域の高さよりも小さく設定されていることを特徴とする請求項２記載の画像形成装置。
【請求項４】
前記位置決めピンは、前記嵌合部の上方に当該嵌合部よりも小径の絞り部を有することを特徴とする請求項２または３記載の画像形成装置。
【発明の詳細な説明】
【技術分野】
【０００１】
本発明は、画像形成装置に関するものである。
【背景技術】
【０００２】
複写機や複合機等の画像形成装置には、記録用紙に対して画像形成を行う本体部に加えて、ペーパーフィーダーがオプション機器として搭載される場合がある。
このペーパーフィーダーは、本体部に対して供給する記録用紙を収容し、必要に応じて本体部に対して記録用紙を供給するものである。
そして、ペーパーフィーダーを搭載する画像形成装置では、一般的に設置スペースの増大を防止するために、ペーパーフィーダーの上に本体部が積載されることでペーパーフィーダーと本体部とが一体化されている。
【０００３】
なお、上述のようなペーパーフィーダーを搭載する画像形成装置のオフィス等への設置は、サービスマンによって行われる。
より詳細には、先に設置面に配置されたペーパーフィーダーに対して、サービスマンがビスや手ネジを用いて本体部を締結することによって画像形成装置が組み立てられる。
【先行技術文献】
【特許文献】
【０００４】
【特許文献１】特開２００８−２６２０１０号公報
【発明の概要】
【発明が解決しようとする課題】
【０００５】
ところで、ペーパーフィーダー上に本体部が積載されると、画像形成装置の背丈が高くなり、ペーパーフィーダーを搭載しない場合よりも重心位置が高くなり、転倒しやすくなる。
このため、従来の画像形成装置においては、ペーパーフィーダーを搭載する画像形成装置が容易に横滑りして転倒しないように、ペーパーフィーダーのキャスターを設置面に対して浮かせる等の対策を行っている。
【０００６】
しかしながら、巨大地震等の緊急事態により大きな振動が発生した場合には、上記対策を行っている場合であっても、画像形成装置の転倒を完全に防ぐことは難しい。ただし、震災時等の被害を最小限に食い止めるためにも、画像形成装置をより転倒し難い構造とすることが好ましい。
【０００７】
本発明は、上述する問題点に鑑みてなされたもので、ペーパーフィーダーに本体部が積載された画像形成装置の転倒を今まで以上に抑制可能とすることを目的とする。
【課題を解決するための手段】
【０００８】
上記課題を解決するための手段として、本発明は、以下の構成を採用する。
【０００９】
第１の発明は、記録用紙に対して画像を形成する本体部と、上記記録用紙を収容すると共に必要に応じて上記本体部に対して上記記録用紙を供給するペーパーフィーダーとを備え、上記ペーパーフィーダー上に上記本体部が積載されて配置される画像形成装置であって、上記ペーパーフィーダー側に設けられると共に上記本体部のベースに対して上方に所定の隙間を空けて配置され、上記ペーパーフィーダーに対する上記本体部の上方への移動を規制する係止部を備えるという構成を採用する。
【００１０】
第２の発明は、上記第１の発明において、上記本体部の上記ベースに対して設けられる位置決め穴と、上記ペーパーフィーダー側に設けられると共に上記位置決め穴に嵌合する嵌合部を有する位置決めピンとを備えるという構成を採用する。
【００１１】
第３の発明は、上記第２の発明において、上記係止部と上記本体部の上記ベースとの隙間高さが、上記位置決めピンの嵌合部の上記位置決め穴よりも上方に突出する領域の高さよりも小さく設定されているという構成を採用する。
【００１２】
第４の発明は、上記第２または第３の発明において、上記位置決めピンが、上記嵌合部の上方に当該嵌合部よりも小径の絞り部を有するという構成を採用する。
【発明の効果】
【００１３】
本発明においては、ペーパーフィーダーに対する本体部の上方への移動を規制する係止部が、ペーパーフィーダーに設けられると共に本体部のベースに対して上方に隙間を空けて配置されている。
このため、本発明によれば、上記隙間の範囲で本体部がペーパーフィーダーに対して相対移動することが可能となっている。
【００１４】
つまり、本発明においては、本体部がペーパーフィーダーに対して剛結合されていない。このため、本体部がペーパーフィーダーに対して剛結合されている場合と比較して、画像形成装置全体で見た場合に、一種の柔構造とされている。
柔構造である場合には、外部から振動が加えられた際に構造体自体で変化することによって振動を吸収し、剛構造であるよりも倒壊し難くなる。
【００１５】
より詳細に説明すると、本発明においては、係止部が本体部のベースに対して上方に隙間を空けて配置されているため、外部から強い振動が加えられた際に、本体部とペーパーフィーダーとの境界領域を節として画像形成装置が曲がることができる。
このように画像形成装置が曲がる、すなわち本体部とペーパーフィーダーとが相対移動することによって、外部から加えられた振動を吸収し、画像形成装置が転倒を抑制することができる。
【図面の簡単な説明】
【００１６】
【図１】本発明の第１実施形態における複写機の分解図である。
【図２】本発明の第１実施形態における複写機が備えるペーパーフィーダーの上部を示す斜視図である。
【図３】本発明の第１実施形態における複写機が備える係止部を含む要部断面図である。
【図４】本発明の第１実施形態における複写機が備える位置決めピンを含む要部断面図である。
【図５】本発明の第２実施形態における複写機が備える位置決めピンを含む要部断面図である。
【発明を実施するための形態】
【００１７】
以下、図面を参照して、本発明に係る画像形成装置の一実施形態について説明する。なお、以下の図面において、各部材を認識可能な大きさとするために、各部材の縮尺を適宜変更している。また、以下の図面においては、本発明の画像形成装置の一例として複写機を挙げて説明する。
【００１８】
（第１実施形態）
図１は、本実施形態の複写機１の分解図である。また、図２は、ペーパーフィーダー２の上部を示す斜視図である。
そして、図１に示すように、本実施形態の複写機１は、ペーパーフィーダー２と、本体部３とを備えており、ペーパーフィーダー２上に本体部３が積載されて配置された構成を有する。
【００１９】
ペーパーフィーダー２は、本体部３に供給される記録用紙を収容し、必要に応じて収容する記録用紙を本体部３に対して供給するものである。
そして、このペーパーフィーダー２は、周知のように、カセットや給紙ユニット等を備えている。
【００２０】
カセットは、積層された記録用紙を収容する部分であり、脱着可能に構成されている。
給紙ユニットは、カセットに収容された記録用紙を本体部３に対して搬送するものである。
なお、このペーパーフィーダー２の下面側四隅には、キャスター２ａが取り付けられており、ペーパーフィーダー２及び複写機１を容易に移動可能とされている。
【００２１】
また、ペーパーフィーダー２は、骨格となる金属製のベース２ｂと、当該ベース２ｂを囲う樹脂性のカバー２ｃとを備えている。
そして、本体部３が載置されるペーパーフィーダー２の上面には、カバー２ｃが設けられておらず、ベース２ｂが露出された状態とされている。
【００２２】
本体部３は、周知のように、画像読取ユニット、画像形成ユニット、定着ユニット、搬送ユニット等を備えている。
【００２３】
画像読取ユニットは、原稿ガラス面上に載置された原稿の画像に光を照射し、その反射光を受光することによって原稿の画像を画像データとして読み取るものであり、原稿ガラス面と平行に設けられたガイドレールに沿って往復動するキャリッジを有している。このキャリッジ内には、原稿ガラス面上に載置された原稿の表面に光を照射するためのＬＥＤやキセノンランプ等の各種ランプからなる光源と、その原稿からの反射光を順次反射して集光レンズに導くミラー群と、集光レンズによって集められた光を電気信号に変換するＣＣＤやＣＭＯＳ等のイメージセンサとを含んで構成されていて、多くの光学系の機器類を含んで構成されている。
【００２４】
画像形成ユニットは、複写機１がカラー複写機の場合、イエロー（Ｙ）、マゼンダ（Ｍ）、シアン（Ｃ）、ブラック（ＢＫ）の各色にそれぞれ対応した感光体ドラムを有し、各感光体ドラムには、静電潜像書き込み用のビーム光の出力を行うレーザ光出力装置、そのビーム光を感光体ドラムに導く偏向ミラー、ビーム光のｆθ補正を行なうｆθレンズ、ビーム光を感光体ドラムの軸方向に走査させるポリゴンミラー等の多くの光学系の機器類で構成されるレーザスキャニングユニットがそれぞれ設けられていると共に、帯電器、クリーニング装置及び除電装置等がそれぞれ設けられている。
また、画像形成ユニットは、感光体ドラムにトナーを供給することによって静電潜像を現像する現像装置、感光体ドラム上に形成されたトナー像を記録用紙に対して転写する転写装置等を備えている。
【００２５】
定着ユニットは、加熱ローラを含んで構成され、記録用紙に転写されたトナー像を記録用紙に定着させることができるように構成されている。
【００２６】
搬送ユニットは、本体部３のカセットに収容された記録用紙あるいはペーパーフィーダー２から本体部３に供給される記録用紙を、本体部３の内部において搬送するものである。
【００２７】
また、本体部３は、骨格となる金属製のベース３ａと、当該ベース３ａを囲う樹脂性のカバー３ｂとを備えている（図３参照）。
そして、ペーパーフィーダー２と接続される本体部３の下面には、カバー３ｂが設けられておらず、ベース３ａが露出された状態とされている。
【００２８】
このような複写機１では、画像読取ユニットによって読み取られた画像データに基づいて、画像形成ユニットでトナー像が形成される。そして、トナー像が記録用紙に転写され、記録用紙に転写されたトナー像が定着ユニットによって記録用紙に定着される。
【００２９】
そして、本実施形態の複写機１では、図２に示すように、ペーパーフィーダー２の上部に対して、本体部３のベースに係合することによって本体部３のペーパーフィーダー２に対する上方への移動を規制する係止部４が複数設けられている。
【００３０】
各係止部４は、ペーパーフィーダー２の正面に設けられたレバー４ａを移動させることによってロック位置と解放位置との間で水平移動可能に構成されている。なお、係止部４がロック位置に配置された場合には本体部３の移動が規制され、係止部４が解放位置に配置された場合には本体部３をペーパーフィーダー２と乖離させることが可能となる。
【００３１】
図３は、ロック位置に配置された係止部４を含む要部断面図である。
この図に示すように、本実施形態の複写機１は、係止部４がロック位置に配置されている場合にて、係止部４が本体部３のベース３ａに対して上方に所定の隙間を空けて配置されるように構成されている。
【００３２】
また、本実施形態の複写機１では、図２に示すようにペーパーフィーダー２の上部に対して、位置決めピン５が設けられている。
図４は、位置決めピン５の含む要部断面図である。
この図に示すように、本実施形態の複写機１においては、本体部３のベース３ａに対して位置決め穴３ｃが設けられており、当該位置決め穴３ｃに対して位置決めピン５が嵌合することによってペーパーフィーダー２に対する本体部３の位置決めが行われる。
【００３３】
本実施形態において位置決めピン５は、高さ方向において全領域が位置決め穴３ｃの開口径よりも僅かに小さな直径とされた嵌合部とされている。
また、位置決めピン５は、ペーパーフィーダー２上に本体部３が載置された状態において、その先端が位置決め穴３ｃから上方に突出するように高さ設定されている。
【００３４】
なお、本実施形態の複写機１においては、係止部４と本体部３のベース３ａとの隙間高さｄ１が、位置決めピン５の位置決め穴３ｃよりも上方に突出する領域の高さｄ２よりも小さく設定されている。
【００３５】
また、図４に示すように、例えば、複数の位置決め穴３ｃのうち、いくつか（本実施形態においては１つ）を丸孔とし、残り（本実施形態においては１つ）を長孔としても良い。
【００３６】
このような本実施形態の複写機１においては、ペーパーフィーダー２に対する本体部３の上方への移動を規制する係止部４が、ペーパーフィーダー２に設けられると共に本体部３のベース３ａに対して上方に隙間を空けて配置されている。
このため、本実施形態の複写機１によれば、上記隙間の範囲で本体部３がペーパーフィーダー２に対して相対移動することが可能となっている。
【００３７】
つまり、本実施形態の複写機１においては、本体部３がペーパーフィーダー２に対して剛結合されていない。このため、本体部３がペーパーフィーダー２に対して剛結合されている場合と比較して、複写機１の全体で見た場合に、一種の柔構造とされている。
柔構造である場合には、外部から振動が加えられた際に構造体自体で変化することによって振動を吸収し、剛構造であるよりも倒壊し難くなる。
【００３８】
より詳細に説明すると、本実施形態の複写機１においては、係止部４が本体部３のベース３ａに対して上方に隙間を空けて配置されているため、外部から強い振動が加えられた際に、本体部３とペーパーフィーダー２との境界領域を節として複写機１が曲がることができる。
このように複写機１が曲がる、すなわち本体部３とペーパーフィーダー２とが相対移動することによって、外部から加えられた振動を吸収し、複写機１が転倒を抑制することができる。
【００３９】
また、本実施形態の複写機１においては、本体部３のベース３ａに対して設けられる位置決め穴３ｃと、ペーパーフィーダー２側に設けられると共に位置決め穴３ｃに嵌合する嵌合部を有する位置決めピン５とを備えている。
このため、係止部４と本体部３のベース３ａとの間に僅かに隙間がある場合であっても、ペーパーフィーダー２と本体部３との位置関係を正確に合わせることが可能となる。
【００４０】
また、本実施形態の複写機１においては、係止部４と本体部３のベース３ａとの隙間高さｄ１が、位置決めピン５の位置決め穴３ｃよりも上方に突出する領域の高さｄ２よりも小さく設定されている。
このため、本実施形態の複写機１においては、外部より予期せぬ大きな振動が加わり、係止部４と本体部３のベース３ａとの隙間高さｄ１が埋まるまで本体部３が上方に移動した場合であっても、位置決めピン５が位置決め穴３ｃから抜けることを防止することができる。
したがって、本実施形態の複写機１によれば、本体部３がペーパーフィーダー２から落下することを防止することができる。
【００４１】
（第２実施形態）
次に、本発明の第２実施形態について説明する。なお、本実施形態の説明において、上記第１実施形態と同様の部分については、その説明を省略あるいは簡略化する。
【００４２】
図５は、本実施形態の複写機が備える位置決めピン５Ａを含む要部断面図である。
この図に示すように、本実施形態の複写機が備える位置決めピン５Ａは、位置決め穴３ｃに嵌合する嵌合部５Ａａと、嵌合部５Ａａの上方に当該嵌合部５Ａａよりも小径の絞り部５Ａｂを有する。
【００４３】
このような本実施形態の複写機においては、位置決めピン５Ａが嵌合部５Ａａの上方に当該嵌合部５Ａａよりも小径の絞り部５Ａｂを有するため、本体部３をペーパーフィーダー２上に載置する際に、位置決めピン５Ａを容易に位置決め穴３ｃに挿入することができる。
【００４４】
また、地震等によって万が一、係止部４が破損するほどの大きなエネルギーによって本体部３が持ち上げられた場合であっても、絞り部５Ａｂによって位置決めピン５Ａが位置決め穴３ｃから抜け出すことをより確実に防止することができる。
【００４５】
以上、添付図面を参照しながら本発明の好適な実施形態について説明したが、本発明は、上記実施形態に限定されないことは言うまでもない。上述した実施形態において示した各構成部材の諸形状や組み合わせ等は一例であって、本発明の趣旨から逸脱しない範囲において設計要求等に基づき種々変更可能である。
【００４６】
例えば、上述の例では、画像形成装置を複写機としたが、プリンタ、ファクシミリ装置又はこれらの機能を備えた複合機とすることもできる。
【符号の説明】
【００４７】
１……複写機（画像形成装置）、２……ペーパーフィーダー、３……本体部、３ａ……ベース、４……係止部、５，５Ａ……位置決めピン、５Ａａ……嵌合部、５Ａｂ……絞り部
【図１】
2012247740.tif 000003
【図２】
2012247740.tif 000004
【図３】
2012247740.tif 000005
【図４】
2012247740.tif 000006
【図５】
2012247740.tif 000007